(57)【要約】【課題】保守ユニットの交換が行われたか否かを判定する工作機械を提供する。【解決手段】工作機械１は、所定の単位で交換可能な保守ユニット１６を備える工作機械である。工作機械１は、保守ユニット１６の劣化に伴って次第に変化する特徴量を監視する監視部２２と、監視部２２によって監視された特徴量の変化の傾向に基づいて、保守ユニット１６の交換が行われたか否かを判定する判定部２４とを備える。これにより、工作機械１は、保守ユニット１６の交換が行われたか否かを判定することができる。【選択図】図１
2020060862.tif 000002
【特許請求の範囲】
【請求項１】
所定の単位で交換可能な保守ユニットを備える工作機械であって、
前記保守ユニットの劣化に伴って次第に変化する特徴量を監視する監視部と、
前記監視部によって監視された特徴量の変化の傾向に基づいて、前記保守ユニットの交換が行われたか否かを判定する判定部と、
を備える、工作機械。
【請求項２】
前記特徴量は、前記工作機械の動作時の情報である、請求項１に記載の工作機械。
【請求項３】
前記保守ユニットは、前記工作機械における駆動部に連結されて駆動される被駆動パーツを含むユニットであり、
前記動作時の情報は、前記駆動部の負荷又は駆動電流の値あるいは波形に関する情報を含む、
請求項２に記載の工作機械。
【請求項４】
前記判定部は、前記監視部によって監視された特徴量の変化が、前記保守ユニットの劣化に伴う変化と反対方向の変化、又は、前記保守ユニットの劣化に伴う連続的な変化と異なる不連続的な変化であるときに、前記保守ユニットの交換が行われたと判定する、請求項１〜３のいずれか１項に記載の工作機械。
【請求項５】
前記保守ユニットに取り付けられ、前記保守ユニットの識別子情報を有するＩＤタグと、
前記ＩＤタグの識別子情報の読み取りを行うＩＤリーダと、
前記判定部によって前記保守ユニットの交換が行われたと判定された場合に、前記ＩＤリーダを用いて、前記保守ユニットにおける前記ＩＤタグの識別子情報を読み取る読取部と、
を備え、
前記判定部は、前記読取部の読み取り結果に基づいて、前記保守ユニットが正規品であるか否かを判定する、
請求項１〜４のいずれか１項に記載の工作機械。
【請求項６】
前記読取部によって前記ＩＤタグの識別子情報が読み取られ、前記判定部によって前記保守ユニットが正規品であると判定された場合に、前記ＩＤリーダを用いて、前記ＩＤタグに、使用済みであることを示す情報を書き込むことにより、前記ＩＤタグの再利用を制限する制限部を更に備える、請求項５に記載の工作機械。
【請求項７】
前記読取部によって前記ＩＤタグの識別子情報が読み取られず、前記判定部によって前記保守ユニットが正規品でないと判定された場合に、前記工作機械の動作を制限する制限部を更に備える、請求項５に記載の工作機械。
【請求項８】
請求項１〜４のいずれか１項に記載の工作機械と、
前記工作機械における前記保守ユニットの認証を行う認証装置と、
を備え、
前記工作機械は、
前記判定部によって前記保守ユニットの交換が行われたと判定された場合に、前記保守ユニットの識別子情報を保守者に要求し、
保守者によって入力された前記保守ユニットの識別子情報を前記認証装置に送信し、
前記認証装置は、
正規品の識別子情報を予め記憶し、
前記工作機械から受信した前記保守ユニットの識別子情報と、記憶した前記正規品の識別子情報とに基づいて、前記保守ユニットが正規品であるか否かの認証を行う、
工作機械の認証システム。
【請求項９】
前記認証装置は、前記保守ユニットが正規品であると認証した場合に、
認証結果を工作機械に通知すると共に、
前記保守ユニットの識別子情報と、使用済みであることを示す情報とを関連付けて記憶することにより、前記識別子情報の再利用を制限する、請求項８に記載の工作機械の認証システム。
【請求項１０】
前記認証装置は、前記保守ユニットが正規品でない場合、又は、前記保守ユニットが正規品であるが使用済みである場合、この認証結果を工作機械に通知し、
前記工作機械は、前記認証装置から通知された認証結果に基づいて、動作を制限する、
請求項９に記載の工作機械の認証システム。
【発明の詳細な説明】
【技術分野】
【０００１】
本発明は、工作機械、及び工作機械の認証システムに関する。
【背景技術】
【０００２】
工作機械では、例えば主軸のような保守が必要なパーツがある。工作機械では、例えば主軸を含む主軸ユニットのような所定の単位で交換可能な保守ユニットが販売される（例えば、特許文献１及び２参照）。
【先行技術文献】
【特許文献】
【０００３】
【特許文献１】特許第４９００６７７号公報
【特許文献２】特開２０１８−９７４９４号公報
【発明の概要】
【発明が解決しようとする課題】
【０００４】
このような保守ユニットは、第三者によって分解、調査されることが可能であるため、正規品のコピー品（非正規品）を製作することが可能である。保守者が非正規品を用いて保守を行った場合、特に主軸のような被駆動パーツにおいては工作機械全体として本来の性能を発揮できない可能性が大きい。
【０００５】
そこで、保守ユニットの交換が行われたか否かを判定し、保守ユニットが正規品であるか否かを判定することを自動で行うことが望まれている。しかし、特許文献１及び２には、保守ユニットの交換が行われたか否かを自動で判定する方法が記載されていない。
【０００６】
本発明は、保守ユニットの交換が行われたか否かを判定する工作機械、及び工作機械の認証システムを提供することを目的とする。
【課題を解決するための手段】
【０００７】
（１）  本発明に係る工作機械（例えば、後述の工作機械１）は、所定の単位で交換可能な保守ユニット（例えば、後述の主軸ユニット１６）を備える工作機械であって、前記保守ユニットの劣化に伴って次第に変化する特徴量を監視する監視部（例えば、後述の監視部２２）と、前記監視部によって監視された特徴量の変化の傾向に基づいて、前記保守ユニットの交換が行われたか否かを判定する判定部（例えば、後述の判定部２４）とを備える。
【０００８】
（２）  （１）に記載の工作機械において、前記特徴量は、前記工作機械の動作時の情報であってもよい。
【０００９】
（３）  （２）に記載の工作機械において、前記保守ユニットは、前記工作機械における駆動部（例えば、後述の主軸モータ１４）に連結されて駆動される被駆動パーツ（例えば、後述の主軸）を含むユニットであってもよく、前記動作時の情報は、前記駆動部の負荷又は駆動電流の値あるいは波形に関する情報を含んでもよい。
【００１０】
（４）  （１）から（３）のいずれかに記載の工作機械において、前記判定部は、前記監視部によって監視された特徴量の変化が、前記保守ユニットの劣化に伴う変化と反対方向の変化、又は、前記保守ユニットの劣化に伴う連続的な変化と異なる不連続的な変化であるときに、前記保守ユニットの交換が行われたと判定してもよい。
【００１１】
（５）  （１）から（４）のいずれかに記載の工作機械は、前記保守ユニットに取り付けられ、前記保守ユニットの識別子情報を有するＩＤタグ（例えば、後述のＲＦＩＤタグ５０）と、前記ＩＤタグの識別子情報の読み取りを行うＩＤリーダ（例えば、後述のＲＦＩＤリーダ６０）と、前記判定部によって前記保守ユニットの交換が行われたと判定された場合に、前記ＩＤリーダを用いて、前記保守ユニットにおける前記ＩＤタグの識別子情報を読み取る読取部（例えば、後述の読取部２６）とを備えてもよく、前記判定部は、前記読取部の読み取り結果に基づいて、前記保守ユニットが正規品であるか否かを判定してもよい。
【００１２】
（６）  （５）に記載の工作機械は、前記読取部によって前記ＩＤタグの識別子情報が読み取られ、前記判定部によって前記保守ユニットが正規品であると判定された場合に、前記ＩＤリーダを用いて、前記ＩＤタグに、使用済みであることを示す情報を書き込むことにより、前記ＩＤタグの再利用を制限する制限部（例えば、後述の制限部２８）を更に備えてもよい。
【００１３】
（７）  （５）に記載の工作機械は、前記読取部によって前記ＩＤタグの識別子情報が読み取られず、前記判定部によって前記保守ユニットが正規品でないと判定された場合に、前記工作機械の動作を制限する制限部（例えば、後述の制限部２８）を更に備えてもよい。
【００１４】
（８）  本発明に係る工作機械の認証システム（例えば、後述の認証システム１００）は、（１）〜（４）のいずれかに記載の工作機械と、前記工作機械における前記保守ユニットの認証を行う認証装置（例えば、後述の認証装置５）とを備え、前記工作機械は、前記判定部によって前記保守ユニットの交換が行われたと判定された場合に、前記保守ユニットの識別子情報を保守者に要求し、保守者によって入力された前記保守ユニットの識別子情報を前記認証装置に送信し、前記認証装置は、正規品の識別子情報を予め記憶し、前記工作機械から受信した前記保守ユニットの識別子情報と、記憶した前記正規品の識別子情報とに基づいて、前記保守ユニットが正規品であるか否かの認証を行う。
【００１５】
（９）  （８）に記載の工作機械の認証システムにおいて、前記認証装置は、前記保守ユニットが正規品であると認証した場合に、認証結果を工作機械に通知すると共に、前記保守ユニットの識別子情報と、使用済みであることを示す情報とを関連付けて記憶することにより、前記識別子情報の再利用を制限してもよい。
【００１６】
（１０）  （９）に記載の工作機械の認証システムにおいて、前記認証装置は、前記保守ユニットが正規品でない場合、又は、前記保守ユニットが正規品であるが使用済みである場合、この認証結果を工作機械に通知してもよく、前記工作機械は、前記認証装置から通知された認証結果に基づいて、動作を制限してもよい。
【発明の効果】
【００１７】
本発明によれば、保守ユニットの交換が行われたか否かを判定する工作機械、及び工作機械の認証システムを提供することができる。
【図面の簡単な説明】
【００１８】
【図１】本実施形態に係る工作機械の構成を示す図である。
【図２】工作機械における主軸の劣化に伴って次第に変化する特徴量の一例を示す模式図である。
【図３】本実施形態に係る工作機械１の動作を示すフローチャートである。
【図４】本実施形態の変形例に係る工作機械を備える認証システムの構成を示す図である。
【発明を実施するための形態】
【００１９】
以下、添付の図面を参照して本発明の実施形態の一例について説明する。なお、各図面において同一又は相当の部分に対しては同一の符号を附すこととする。
【００２０】
図１は、本実施形態に係る工作機械の構成を示す図である。図１に示す工作機械１は、機械本体部１０と、制御部２０と、ＲＦＩＤタグ（ＩＤタグ）５０と、ＲＦＩＤリーダ（ＩＤリーダ）６０とを備える。
【００２１】
機械本体部１０は、基体部１２と、主軸モータ（駆動部）１４と、主軸（被駆動パーツ）を含む主軸ユニット（保守ユニット）１６とを有する。
基体部１２は、主軸モータ１４及び主軸ユニットを保持する。基体部１２は、例えば送り軸モータ（図示省略）によって、主軸モータ１４及び主軸ユニット１６を移動させる。主軸モータ１４は、主軸ユニット１６における主軸に連結し、主軸を回転駆動する。
機械本体部１０における主軸モータ１４及び送り軸モータは、数値制御装置（図示省略）及びサーボ制御装置（図示省略）によって制御される。
【００２２】
主軸ユニット１６における主軸は、稼働時間に伴って次第に劣化するパーツである。そのため、主軸ユニット１６は、主軸を含む所定の単位で交換可能な保守ユニットである。主軸ユニット１６は、後述するＲＦＩＤタグ（ＩＤタグ）５０を含む。
【００２３】
以下では、保守ユニットの所定の単位として、主軸を含む主軸ユニットを例示するが、保守ユニットの所定の単位はこれに限定されず、例えば主軸のみの単一パーツであってもよい。
また、以下では、保守ユニットとして、主軸を含む主軸ユニット１６を例示するが、保守ユニットはこれに限定されず、例えば送り軸のような、稼働時間に伴って次第に劣化する被駆動パーツを含むユニットであってもよい。
更には、保守ユニットは、経時的に次第に劣化する被駆動パーツ以外のパーツを含むユニットであってもよい。
【００２４】
ＲＦＩＤタグ５０は、上述したように、主軸ユニット１６に取り付けられている。ＲＦＩＤタグ５０は、主軸ユニット１６の識別子情報を有する。
【００２５】
ＲＦＩＤリーダ６０は、機械本体部１０に取り付けられていてもよいし、機械本体部１０に接続可能なユニットとして別に配置されてもよい。ＲＦＩＤリーダ６０は、後述する制御部２０からの指令に応じて、主軸ユニット１６に取り付けられたＲＦＩＤタグ５０から、主軸ユニット１６の識別子情報を読み取る。
【００２６】
制御部２０は、監視部２２と、判定部２４と、読取部２６と、制限部２８と、記憶部３０とを有する。制御部２０は、上述した数値制御装置に搭載されてもよいし、サーボ制御装置に搭載されてもよい。
【００２７】
監視部２２は、主軸ユニット１６における主軸の劣化に伴って次第に変化する特徴量を監視する。
主軸のような被駆動パーツでは、工作機械の動作時に、その劣化に伴って次第に変化する情報がある。例えば、主軸では、工作機械の動作時に、図２に示すように、主軸の劣化（稼働時間）に伴って、主軸モータ１４の負荷及び駆動電流値、あるいはその波形のスペクトル等の情報が次第に変化（本実施例では増加）する。
【００２８】
これにより、監視部２２は、これらの情報のうちの何れか１つ、又はこれらの情報のうちの少なくとも２つの積算値を、主軸ユニット１６の特徴量として監視する。監視部２２は、監視する主軸ユニット１６の特徴量を、記憶部３０に一旦記憶してもよい。
【００２９】
判定部２４は、監視部２２によって監視された主軸ユニット１６の特徴量の変化の傾向に基づいて、主軸ユニット１６の交換が行われたか否かを判定する。
主軸ユニット１６の交換が行われると、主軸ユニット１６の特徴量、例えば図２に示すように主軸モータ１４の負荷及び駆動電流値、あるいはその波形のスペクトル等の情報は、主軸の劣化（稼働時間）に伴う変化と反対方向に変化（本実施例では減少）する、或いは主軸の劣化（稼働時間）に伴う連続的な変化と異なって不連続的に変化（本実施例では減少）する（図２における○囲み箇所）。
【００３０】
これにより、判定部２４は、監視部２２によって監視された主軸ユニット１６の特徴量の変化が、主軸の劣化に伴う変化と反対方向の変化、又は、主軸の劣化に伴う連続的な変化と異なる不連続的な変化であるときに、主軸ユニット１６の交換が行われたと判定する。
【００３１】
また、判定部２４は、後述する読取部２６による主軸ユニット１６のＲＦＩＤタグ５０の識別子情報の読み取り結果に基づいて、主軸ユニット１６が正規品（純正品）であるか否かを判定する。
具体的には、判定部２４は、読取部２６によって主軸ユニット１６のＲＦＩＤタグ５０の識別子情報が読み取られた場合に、主軸ユニット１６が正規品であると判定する。一方、読取部２６によって主軸ユニット１６のＲＦＩＤタグ５０の識別子情報が読み取られない場合に、判定部２４は、主軸ユニット１６が非正規品（コピー品）であると判定する。
【００３２】
読取部２６は、判定部２４によって主軸ユニット１６の交換が行われたと判定された場合に、ＲＦＩＤリーダ６０を用いて、主軸ユニット１６に取り付けられたＲＦＩＤタグ５０から、主軸ユニット１６の識別子情報を読み取る。
このとき、読取部２６は、ＲＦＩＤリーダ６０を自動的に制御してもよいし、或いはディスプレイ等の表示装置を用いて保守者に手動でのＲＦＩＤリーダ６０の読み取り操作を要求してもよい。
【００３３】
制限部２８は、読取部２６によって主軸ユニット１６のＲＦＩＤタグ５０の識別子情報が読み取られ、判定部２４によって主軸ユニット１６が正規品であると判定された場合に、ＲＦＩＤリーダ６０を用いて、主軸ユニット１６に取り付けられたＲＦＩＤタグ５０に、使用済みであることを示す情報（例えば、フラグ）を書き込む。
【００３４】
ここで、正規品に取り付けられたＲＦＩＤタグを再利用し、このＲＦＩＤを非正規品に取り付けることが予想される。
この点に関し、制限部２８は、主軸ユニット１６に取り付けられたＲＦＩＤタグ５０に、使用済みであることを示す情報を書き込むことにより、ＲＦＩＤタグの再利用ができないように制限する。
ＲＦＩＤタグにおいて、使用済みであることを示す情報の書き込みを行う領域は、Write onceな領域であると好ましい。
【００３５】
また、制限部２８は、読取部２６によって主軸ユニット１６のＲＦＩＤタグ５０の識別子情報が読み取られず、判定部２４によって主軸ユニット１６が非正規品（コピー品）であると判定された場合に、工作機械１の動作を制限する。
例えば、制限部２８は、即時に、工作機械１の稼働を停止してもよい。或いは、制限部２８は、表示部（図示省略）に警告表示を行ったり、アラームを通知したりし、又は主軸の最高回転数の制限を行ったり、送り軸の移動速度の制限を行ったりし（動作制限）、所定時間経過後に工作機械１を停止してもよい。
【００３６】
記憶部３０は、監視部２２によって監視された主軸ユニット１６の特徴量を一旦記憶する。
記憶部３０は、例えばＥＥＰＲＯＭ等の書き換え可能なメモリである。また、記憶部３０は、制御部２０の各種機能を実現するための所定のソフトウェア（プログラム）を格納する。
【００３７】
制御部２０（記憶部３０除く）は、例えば、ＤＳＰ（Digital Signal Processor）、ＦＰＧＡ（Field-Programmable Gate Array）等の演算プロセッサで構成される。制御部２０（記憶部３０除く）の機能は、記憶部３０に格納された所定のソフトウェア（プログラム）を実行することで実現される。制御部２０（記憶部３０除く）の機能は、ハードウェアとソフトウェアとの協働で実現されてもよいし、ハードウェア（電子回路）のみで実現されてもよい。
【００３８】
次に、図３を参照して、本実施形態に係る工作機械１の動作について説明する。図３は、本実施形態に係る工作機械１による動作を示すフローチャートである。
【００３９】
まず、制御部２０の監視部２２は、主軸ユニット１６における主軸の劣化に伴って次第に変化する特徴量を監視する（Ｓ１１）。監視部２２は、例えば主軸モータ１４の負荷及び駆動電流値、あるいはその波形のスペクトル等の情報のうちの何れか１つ、又はこれらの情報のうちの少なくとも２つの積算値を、主軸ユニット１６の特徴量として監視する（例えば、図２参照）。監視部２２は、監視した主軸ユニット１６の特徴量を、記憶部３０に一旦記憶してもよい。
【００４０】
次に、判定部２４は、監視部２２によって監視された主軸ユニット１６の特徴量の変化の傾向に基づいて、主軸ユニット１６の交換が行われたか否かを判定する（Ｓ１２）。判定部２４は、例えば監視部２２によって監視された主軸ユニット１６の特徴量の変化が、主軸の劣化に伴う変化と反対方向の変化、又は、主軸の劣化に伴う連続的な変化と異なる不連続的な変化であるときに、主軸ユニット１６の交換が行われたと判定する（例えば、図２参照）。
【００４１】
判定部２４によって主軸ユニット１６の交換が行われていないと判定された場合（Ｓ１２においてＮＯ）、ステップＳ１１に戻り、主軸ユニット１６における主軸の特徴量の監視を継続する。
【００４２】
一方、判定部２４によって主軸ユニット１６の交換が行われたと判定された場合に（Ｓ１２においてＹＥＳ）、読取部２６は、ＲＦＩＤリーダ６０を用いて、主軸ユニット１６に取り付けられたＲＦＩＤタグ５０から、主軸ユニット１６の識別子情報を読み取る（Ｄ１３）。
【００４３】
次に、判定部２４は、読取部２６による主軸ユニット１６のＲＦＩＤタグ５０の識別子情報の読み取り結果に基づいて、主軸ユニット１６が正規品（純正品）であるか否かを判定する（Ｓ１４）。
【００４４】
読取部２６によって主軸ユニット１６のＲＦＩＤタグ５０の識別子情報が読み取られ、判定部２４によって主軸ユニット１６が正規品であると判定された場合に（Ｓ１４においてＹＥＳ）、制限部２８は、ＲＦＩＤリーダ６０を用いて、主軸ユニット１６に取り付けられたＲＦＩＤタグ５０に、使用済みであることを示す情報（例えば、フラグ）を書き込む（Ｓ１５）。これにより、制限部２８は、ＲＦＩＤタグの再利用ができないように制限する。
【００４５】
一方、読取部２６によって主軸ユニット１６のＲＦＩＤタグ５０の識別子情報が読み取られず、判定部２４によって主軸ユニット１６が非正規品（コピー品）であると判定された場合に（Ｓ１４においてＮＯ）、制限部２８は、工作機械１の動作を制限する（Ｓ１６）。例えば、制限部２８は、即時に、工作機械１の稼働を停止してもよい。或いは、制限部２８は、表示部（図示省略）に警告表示を行ったり、アラームを通知したりし、又は主軸の最高回転数の制限を行ったり、送り軸の移動速度の制限を行ったりし（動作制限）、所定時間経過後に工作機械１を停止してもよい。
【００４６】
以上説明したように、本実施形態の工作機械１によれば、主軸の劣化に伴って次第に変化する特徴量を監視し、監視した特徴量の変化の傾向に基づいて主軸ユニット１６の交換が行われたか否かを判定することができる。
【００４７】
本実施形態の工作機械１では、主軸ユニット１６等の保守ユニットの交換が検知された場合に、それまで取り付けられていた保守ユニットの識別子情報（ＲＦＩＤタグの識別子情報）と稼働情報とを関連付けて、工作機械の制御部内部に自動で記録してもよい。また、これらの情報は、工作機械にネットワーク等を介して接続されたサーバ装置に保存され、複数の工作機械における情報がサーバ装置において集中管理されてもよい（例えば、FIELD system：FANUC Intelligent Edge Link & Drive system）。
【００４８】
この場合、サーバ装置において、集中管理している各種情報に基づいて、保守ユニットが交換されたか否かの判定が行われてもよい。この場合、保守ユニットが交換されたか否かを判定する特徴量として、生産性の変化（急な向上）、スループットの変化（急な向上）、品質の変化（急な向上）等が用いられてもよい。
【００４９】
（変形例）
上述した実施形態では、主軸ユニット１６の交換が検出された場合に、ＲＦＩＤタグ５０及びＲＦＩＤリーダ６０を用いて、工作機械１単体で、主軸ユニット１６が正規品（純正品）であるか否かの認証を行った。
しかし、主軸ユニット１６が正規品（純正品）であるか否かの認証は、工作機械１にネットワーク等を介して接続された装置を用いて行ってもよい。
【００５０】
図４は、本実施形態の変形例に係る工作機械を備える認証システムの構成を示す図である。図４に示すように、認証システム１００は、変形例の工作機械１と、工作機械１に例えばネットワークを介して接続された認証装置５とを備える。
【００５１】
図４に示す工作機械１は、図１に示す工作機械１においてＲＦＩＤタグ５０及びＲＦＩＤリーダ６０を備えない点で上述した実施形態と異なる。また、図４に示す工作機械１は、図１に示す工作機械１において、制御部２０の機能及び動作が異なる点で、上述した実施形態と異なる。
【００５２】
具体的には、制御部２０（例えば、読取部２６）は、判定部２４によって主軸ユニット（保守ユニット）１６の交換が行われたと判定された場合に、主軸ユニット１６の識別子情報を保守者に要求する。例えば、制御部２０は、ディスプレイ等の表示装置を用いて、主軸ユニット１６の識別子情報を保守者に要求する。
これにより、保守者は、主軸ユニット１６に貼付された例えばシール５５に表示された主軸ユニット１６のシリアル番号を入力する。
【００５３】
制御部２０は、保守者によって入力された主軸ユニット１６のシリアル番号（識別子情報）を認証装置５に送信する。このとき、制御部２０は、予め記憶した工作機械１のシリアル番号（機番）も認証装置５に送信してもよい。
【００５４】
認証装置５は、工作機械１における主軸ユニット１６の認証を行う。例えば、認証装置５は、工作機械１及び正規品の主軸ユニット（保守ユニット）１６を製造するメーカに設置され、工作機械１のシリアル番号（機番）、及び正規品の主軸ユニット（保守ユニット）のシリアル番号（識別子情報）を予め記憶する。認証装置５は、工作機械１から受信した主軸ユニット（保守ユニット）１６のシリアル番号（識別子情報）と、記憶した正規品のシリアル番号（識別子情報）とに基づいて、主軸ユニット（保守ユニット）１６が正規品であるか否かの認証を行う。
【００５５】
認証装置５は、主軸ユニット（保守ユニット）１６が正規品であると認証した場合に、認証結果を工作機械１に通知する。
また、この場合、認証装置５は、主軸ユニット（保守ユニット）１６のシリアル番号（識別子情報）と、使用済みであることを示す情報（例えば、フラグ）とを関連付けて記憶する。これにより、認証装置５は、シリアル番号（識別子情報）の再利用ができないように制限する。
【００５６】
一方、認証装置５は、主軸ユニット（保守ユニット）１６が非正規品である場合、又は、主軸ユニット（保守ユニット）１６が正規品であるが使用済みである場合、この認証結果を工作機械１に通知する。
これにより、工作機械１における制御部２０の制限部２８は、認証装置５から通知された認証結果に基づいて、上述したように工作機械１の動作を制限する。例えば、制限部２８は、即時に、工作機械１の稼働を停止してもよい。或いは、制限部２８は、表示部（図示省略）に警告表示を行ったり、アラームを通知したりし、又は主軸の最高回転数の制限を行ったり、送り軸の移動速度の制限を行ったりし（動作制限）、所定時間経過後に工作機械１を停止してもよい。
【００５７】
以上、本発明の実施形態について説明したが、本発明は上述した実施形態に限定されることなく、種々の変更及び変形が可能である。例えば、上述した実施形態では、工作機械を例示したが、本発明の特徴はこれに限定されず、保守ユニット（又は、保守部品）を含む産業機械又はロボット等の種々の機械に適用可能である。
【符号の説明】
【００５８】
１  工作機械
５  認証装置
１０  機械本体部
２０  制御部
１２  基体部
１４  主軸モータ（駆動部）
１６  主軸（被駆動パーツ）を含む主軸ユニット（保守ユニット）
２２  監視部
２４  判定部
２６  読取部
２８  制限部
３０  記憶部
５０  ＲＦＩＤタグ（ＩＤタグ）
６０  ＲＦＩＤリーダ（ＩＤリーダ）
１００  認証システム
【図１】
2020060862.tif 000003
【図２】
2020060862.tif 000004
【図３】
2020060862.tif 000005
【図４】
2020060862.tif 000006